(57)【要約】【課題】縦送りベルトが取り付けられる苗のせ台の一部分が取り外しできる苗植付け装置を提供することにある。【解決手段】苗植付け装置は、苗が載置される苗載置面５２ｃを有する苗のせ台５２と、苗載置面５２ｃから一部分を表出させて苗のせ台５２の裏側に設けられ、苗載置面５２ｃから表出した部分で苗を下方に送る縦送りベルト７０と、を備えており、縦送りベルト７０が取り付けられる苗のせ台５２の一部分５２Ａが、縦送りベルト７０とともに、他の部分５２Ｂに対して着脱可能になっている。【選択図】図５
2009017804.tif 000002
【特許請求の範囲】
【請求項１】
苗が載置される苗載置面を有する苗のせ台と、
前記苗載置面から一部分を表出させて前記苗のせ台の裏側に設けられ、前記苗載置面から表出した部分で苗を下方に送る縦送りベルトと、を備えた苗植付け装置において、
前記縦送りベルトが取り付けられる前記苗のせ台の一部分が、前記縦送りベルトとともに、他の部分に対して着脱可能である、
ことを特徴とする苗植付け装置。
【請求項２】
前記苗のせ台の前記他の部分に、前記苗のせ台の一部分を裏側から支持する支持部材を設け、
前記支持部材に前記縦送りベルトの回転軸がスラスト方向へ移動するのを阻止する阻止部材を設けた、
請求項１に記載の苗植付け装置。
【発明の詳細な説明】
【技術分野】
【０００１】
本発明は、田植え機に装備される苗植付け装置に関する。
【背景技術】
【０００２】
従来、苗植付け装置は、苗が載置される苗載置面を有する苗のせ台と、前記苗載置面から一部分を表出させて前記苗のせ台の裏側に設けられ、前記苗載置面から表出した部分で苗を下方に送る縦送りベルトと、を備えている（特許文献１，２）。
【０００３】
【特許文献１】特開２００６−１７４７９７号公報
【特許文献２】特開２００６−９４７４４号公報
【発明の開示】
【発明が解決しようとする課題】
【０００４】
しかし、従来の苗植付け装置は、縦送りベルトが苗のせ台の裏側に設けてあった。このため、苗のせ台に縦送りベルトを組み込みにくい問題があった。また、縦送りベルトのメンテナンス時に、メンテナンスを行うのが困難であった。
【０００５】
本発明は、縦送りベルトが取り付けられる苗のせ台の一部分が取り外しできる苗植付け装置を提供することにある。
【課題を解決するための手段】
【０００６】
請求項１に係る本発明は、
苗が載置される苗載置面（５２ｃ）を有する苗のせ台（５２）と、
前記苗載置面（５２ｃ）から一部分を表出させて前記苗のせ台（５２）の裏側に設けられ、前記苗載置面（５２ｃ）から表出した部分で苗を下方に送る縦送りベルト（７０）と、を備えた苗植付け装置において、
前記縦送りベルト（７０）が取り付けられる前記苗のせ台（５２）の一部分（５２Ａ）が、前記縦送りベルト（７０）とともに、他の部分（５２Ｂ）に対して着脱可能である、ことを特徴とする苗植付け装置（３０）である。
【０００７】
請求項２に係る本発明は、
前記苗のせ台（５２）の前記他の部分（５２Ｂ）に、前記苗のせ台（５２）の一部分（５２Ａ）を裏側から支持する支持部材（６６）を設け、
前記支持部材（６６）に前記縦送りベルト（７０）の回転軸がスラスト方向へ移動するのを阻止する阻止部材（６７）を設けた、
請求項１に記載の苗植付け装置（３０）である。
【０００８】
なお、前記した括弧内の符号等は、図面を参照するためのものであって、本発明を何ら限定するものではない。
【発明の効果】
【０００９】
請求項１に係る発明によると、縦送りベルトが取り付けられる苗のせ台の一部分が、縦送りベルトとともに、他の部分に対して着脱可能になっているので、縦送りベルトのメンテナンスが容易である。
【００１０】
また、請求項１に係る発明によると、縦送りベルトを苗のせ台に取り付けるとき、縦送りベルトを苗のせ台の一部分に取り付けてから、苗のせ台の一部分を他の部分に取り付けることができるので、苗のせ台への縦送りベルトの組み込みを速やか、かつ簡単に行うことができる。
【００１１】
請求項２に係る発明によると、支持部材に縦送りベルトの回転軸がスラスト方向へ移動するのを阻止する阻止部材を設けたので、一部分を他の部分から分離したとき、阻止部材が支持部材側に残り、回転軸を容易に抜き取ることができて、縦送りベルトの部品交換を容易に行うことができる。
【発明を実施するための最良の形態】
【００１２】
以下、図面に基づき本発明の実施の形態を説明する。
【００１３】
図１乃至図１０は、本発明の実施の形態を示すものである。図１は、本発明の実施形態の苗植付け装置を備えた田植え機の側面図である。図２は、図１の田植え機の平面図である。図３は、苗のせ台を取り除いた苗植付け装置を田植え機の後方から見た図である。図４は、苗のせ台を田植え機の後方から見た図である。図５は、図４のＡ−Ａ矢視図であり、苗のせ台の側面図である。図６は、縦送りベルトを取り外した苗のせ台を田植え機の後方から見た図である。図７は、図６のＢ−Ｂ矢視図あり、苗のせ台の側面図である。図８は、苗のせ台の図である。（ａ）は、苗のせ台の側面図である。（ｂ）は、（ａ）のＣ矢視図であり、苗のせ台を田植え機の前方から見た図である。図９は、縦送りベルトを取り外した苗のせ台の図である。（ａ）は、苗のせ台の側面図である。（ｂ）は（ａ）のＤ矢視図であり、苗のせ台を田植え機の前方から見た図である。図１０は、苗のせ台のリブを着脱できるリブにした場合の図であり、（ａ）は苗のせ台の平面図、（ｂ）はＥ−Ｅ矢視断面図、（ｃ）はリブの図である。
【００１４】
図１、図２に示すように、田植え機１は、主に、走行車両１０と、この走行車両１０の後に連結されて、苗の植付け作業を行う苗植付け装置３０とで構成された、乗用田植機である。
【００１５】
走行車両１０は、各一対の前輪１１，１１及び後輪１２，１２により支えられた走行機体１３を備えている。この走行機体１３の前部には、ボンネット１５で覆われた不図示のエンジンが搭載されている。
【００１６】
走行機体１３のボンネット１５の後方には、運転席１６が配置され、この運転席１６には、オペレータが着座する座席１７が設けられている。運転席１６には、ステアリングハンドル２１をはじめ、田植え機１の運転操作に必要な各種レバー、スイッチ、ペダル類が配置されている。
【００１７】
走行機体１３の後部には、昇降リンク機構２７を介して苗植付け装置３０が左右方向に揺動自在に連結されている。昇降リンク機構２７は、自由端（後端）が上下方向に揺動可能に配置されたアッパーリンク２５及び一対のロアリンク２６で構成されている。苗植付け装置３０は、不図示のコントロールバルブによって駆動制御される油圧シリンダ２８の伸縮により昇降するようになっている。
【００１８】
苗植付け装置３０は、昇降リンク機構２７に接続された苗植付け装置フレーム４３を備えている。苗植付け装置フレーム４３は、左右方向に向けて配置された横フレーム４１と、この横フレーム４１に上下方向に延設するように一体に固定された複数の縦フレーム４２とで構成されている。横フレーム４１には、後方に向けて突出する複数のプランタケース４５が配置され、各プランタケース４５の後端部側面には、それぞれ苗の掻取りと植付けを行う苗植付け機構４６が回転可能に配置されている。また、プランタケース４５の下面には、フロート４７が揺動可能に配置されている。
【００１９】
プランタケース４５の後部上方には、エプロン５０が配置されている。エプロン５０は、掻取り調節レバー４８の操作により上下方向に移動可能な掻取り調節機構（図示せず）に上下方向に移動可能に支持されている。エプロン５０には、苗植付け機構４６の先端部の回転軌跡が通過する複数の切欠き５１が形成されている。
【００２０】
マット状の苗を苗載置面５２ｃに載置して苗植付け機構４６に苗を供給する苗のせ台５２は、苗植付け装置フレーム４３に、左右方向に往復移動可能に支持され、かつ掻取り調節機構により上下方向に移動され、苗植付け機構４６で掻取る苗の量を調整できるようになっている。また、苗のせ台５２には、この苗のせ台５２上の苗の残量が所定量以下になったことを検知する苗切れセンサ５３が設けられている。
【００２１】
横フレーム４１には、不図示のトランスミッションからＰＴＯ軸を介して動力が入力される植付け部入力ケース５６（図３）が配置されている。植付け部入力ケース５６から左右に突出する植付け伝動軸５７は、各プランタケース４５の内部機構を介して、各苗植付け機構４６に動力を伝達して、この苗植付け機構４６を回転駆動するようになっている。
【００２２】
また、図３で右端に位置するプランタケース４５の右側には、植付け伝動軸５７を入力軸とする横送り変速機５８が設けられている。この横送り変速機５８も苗植付け装置フレーム４３（図１）に設けられている。この横送り変速機５８の出力は、苗のせ台５２を左右方向に往復移動させる横送り装置６０の横送り軸６１に動力が伝達される。横送り軸６１の回転により、スライドピース６２が左右方向に移動して、苗のせ台５２が左右方向に往復移動するようになっている。
【００２３】
苗植付け装置フレーム４３（図１）には、苗の植え込み深さを調節する植付け深さ調節レバー６３（図３）と、後述する縦送りベルト７０を駆動させて縦送りベルト７０によって苗のせ台５２に載置された苗を下方に移動させる縦送りレバー６４とが設けられている。
【００２４】
図１、図２、図４乃至図７において、苗のせ台５２には、縦送りベルト７０が設けられている。苗のせ台５２は、縦送りベルト７０が取り付けられる苗のせ台の一部分である被取付け部５２Ａと、縦送りベルト７０とともに被取付け部５２Ａが苗載置面５２ｃ側から着脱される他の部分５２Ｂとで構成されている。
【００２５】
苗のせ台の他の部分５２Ｂには、被取付け部５２Ａを裏側から支持する支持部材６６が設けられている。支持部材６６には、縦送りベルト７０の回転軸としての後述する従動軸７５がスラスト方向へ移動するのを阻止する阻止部材６７と、下端部６６ａと、下向き突片６５とが設けられている。下端部６６ａと、下向き突片６５とには、ボルト６８，６９によって被取付け部５２Ａが着脱されるようになっている。なお、ボルト６８は、苗を苗のせ台５２に押圧する不図示の苗押さえを支持するブラケット７８も縦送りベルト７０とともに支持部材６６の下端部６６ａに取り付けるようになっている。
【００２６】
縦送りベルト７０は、被取付け部５２Ａに設けられた駆動軸７２と、駆動軸７２に設けられた駆動プーリ７３と、被取付け部５２Ａに設けられて下方（駆動軸７２側）が開放した軸受７４に支持された従動軸７５と、従動軸７５に設けられた従動プーリ７６と、駆動プーリ７３と従動プーリ７６とに掛け渡したベルト７１と、従動軸７５を上方に牽引してベルト７１のたるみを防止するスプリング７７等で構成されている。
【００２７】
駆動軸７２は、不図示のＰＴＯ軸から不図示の動力伝達機構を経て回転力を受けて回転するようになっている。また、駆動軸７２は、縦送りベルト７０とともに苗のせ台５２の被取付け部５２Ａを他の部分５２Ｂから取り外したとき、上記動力伝達機構から分離できるようになっている。動力伝達機構からの分離には、歯車同士の噛合の解除、或いは動力伝達機構のベルトの取り外しがある。
【００２８】
なお、本実施形態の縦送りベルト７０は、１本の駆動軸７２に設けた１２個の駆動プーリ７３と１本の従動軸７５に設けた１２個の従動プーリ７６とに、１２本のベルト７１が掛け渡して形成されているが、駆動プーリ７３と従動プーリ７６とベルト７１の数は１２に限定されるものではない。
【００２９】
以上の構成において、田植え機１は走行しながら、苗植付け機構４６によって苗のせ台５２上の苗を植付けていく。このとき、苗のせ台５２は、苗植付け機構４６の苗植付けにともなって左右方向の一方に移動する。苗のせ台５２が左右方向の端まで移動すると、縦送りレバー６４が作動して、縦送りベルト７０の駆動軸７２にＰＴＯ軸からの回転力が伝達される。すると、ベルト７１は図５において右回転する。ベルト７１は、苗のせ台５２の被取付け部５２Ａに形成された開口部５４（図４）から苗載置面５２ｃ上に表出しているため、右回転することによって、マット状の苗を下方に送る。その後、苗植付け機構４６による苗のせ台５２上の苗の植付けと、苗のせ台５２の反対方向への移動とによって、苗の植付けが継続される。苗切れセンサ５３によって、苗のせ台５２上のマット状の苗が無くなったことが検知されると、田植え機１による苗の植付けが完了する。
【００３０】
以上説明したように、苗植付け装置４６は、縦送りベルト７０が取り付けられる苗のせ台５２の一部分である被取付け部５２Ａが、縦送りベルト７０とともに、他の部分５２Ｂに対して苗載置面５２ｃ側から着脱可能になっている。このため、苗植付け装置４６は、縦送りベルト７０のメンテナンスを容易に行えるようになっている。
【００３１】
また、苗植付け装置４６は、縦送りベルト７０を苗のせ台５２に取り付けるとき、縦送りベルト７０を苗のせ台５２の被取付け部５２Ａに取り付けてから、被取付け部５２Ａを他の部分５２Ｂに取り付けることができるので、苗のせ台５２への縦送りベルト７０の組み込みを速やか、かつ簡単に行うことができる。
【００３２】
さらに、苗植付け装置４６は、苗のせ台５２の他の部分５２Ｂに、苗のせ台５２の一部分で被取付け部５２Ａを裏側から支持する支持部材６６を設け、支持部材６６に縦送りベルト７０の回転軸としての従動軸７５がスラスト方向へ移動するのを阻止する阻止部材６７を設けてある。このため、被取付け部５２Ａに設けられて下方（駆動軸７２側）が開放した軸受７４に支持された従動軸７５のスラスト方向への移動を阻止して、縦送りベルトの作動を確実にすることができる。また、苗植付け装置４６は、被取付け部５２Ａを他の部分５２Ｂから分離したとき、阻止部材６７が支持部材側に残り、従動軸７５を容易に抜き取ることができて、縦送りベルト７０の部品交換を容易に行うことができる。
【００３３】
なお、図１０に示すように、苗のせ台５２に載置されたマット状の苗が滑り落ち易いようにする苗のせ台５２上のリブを着脱自在なリブ８０にしてもよい。このリブ８０は、断面逆Ｔ字状に形成されて、突部８０ａが苗のせ台５２に形成された縦スリット８１に挿入されて、苗のせ台５２の苗載置面５２ｃ上に突出している。リブ８０の基部８０ｂは、基部８０ｂに形成された貫通孔８０ｃに苗のせ台５２の裏側に突設された突軸８２を貫通させて、突軸８２に装着した着脱自在な止め輪８３によって、苗のせ台５２に取り付けられている。
【００３４】
このリブ８０は、形状や高さの異なるリブが数種類あり、止め輪８３を外すことによって、苗のせ台に載置したマット状の苗に適した、形状や高さのものに交換して使用することができる。
【図面の簡単な説明】
【００３５】
【図１】本発明の実施形態の苗植付け装置を備えた田植え機の側面図である。
【図２】図１の田植え機の平面図である。
【図３】苗のせ台を取り除いた苗植付け装置を田植え機の後方から見た図である。
【図４】苗のせ台を田植え機の後方から見た図である。
【図５】図４のＡ−Ａ矢視図であり、苗のせ台の側面図である。
【図６】縦送りベルトを取り外した苗のせ台を田植え機の後方から見た図である。
【図７】図６のＢ−Ｂ矢視図あり、苗のせ台の側面図である。
【図８】苗のせ台の図である。（ａ）は、苗のせ台の側面図である。（ｂ）は、（ａ）のＣ矢視図であり、苗のせ台を田植え機の前方から見た図である。
【図９】縦送りベルトを取り外した苗のせ台の図である。（ａ）は、苗のせ台の側面図である。（ｂ）は（ａ）のＤ矢視図であり、苗のせ台を田植え機の前方から見た図である。
【図１０】苗のせ台のリブを着脱できるリブにした場合の図であり、（ａ）は苗のせ台の平面図、（ｂ）はＥ−Ｅ矢視断面図、（ｃ）はリブの図である。
【符号の説明】
【００３６】
１      田植え機
１０      走行車両
３０      苗植付け装置
４６      苗植付け機構
４７      フロート
５２      苗のせ台
５２Ａ    被取付け部（苗のせ台の一部分）
５２Ｂ    苗のせ台の他の部分
５２ｃ    苗載置面
６５      支持部材の下向き突片
６６      支持部材
６６ａ    支持部材の下端部
６７      阻止部材
６８      ボルト
６９      ボルト
７０      縦送りベルト
７１      ベルト
７２      駆動軸
７３      駆動プーリ
７４      軸受
７５      従動軸（回転軸）
７６      従動プーリ
【図１】
2009017804.tif 000003
【図２】
2009017804.tif 000004
【図３】
2009017804.tif 000005
【図４】
2009017804.tif 000006
【図５】
2009017804.tif 000007
【図６】
2009017804.tif 000008
【図７】
2009017804.tif 000009
【図８】
2009017804.tif 000010
【図９】
2009017804.tif 000011
【図１０】
2009017804.tif 000012